(57)【要約】  本発明は水浄化装置を開示し、第１の圧力シリンダと、第２の圧力シリンダと、第１のシリンダ体と、第２のシリンダ体を備えており、第１の圧力シリンダと、第２のシリンダ体と第２の圧力シリンダの順で設けられており、第２のシリンダ体が第１のシリンダ体に収容されており、第１の圧力シリンダと第２の圧力シリンダはいずれも一端に開口が設けられており、他端に第１の貫通孔が設けられており、周縁が密封されており、第１のシリンダ体と第２のシリンダ体はいずれも両端に開口が設けられており、中空をなして設けられており、第２のシリンダ体には１のシリンダ体と第２のシリンダ体との間に形成されている水流路に連通する吸水口が設けられており、前記第２の圧力シリンダ外壁には、前記第１のシリンダ体に連通する吐水管が挿設されている。本発明における水浄化装置は、第１の圧力シリンダと第２の圧力シリンダの圧力作用で、水は充分にろ過され、水浄化は強化され、浮漂物によるろ材の汚染を緩和し、ろ材の耐用年数を大いに伸ばし、水浄化のコストを削減する。
2018501087.tif 000002
【特許請求の範囲】
【請求項１】
水浄化装置であって、前記水浄化装置は第１の圧力シリンダと、第２の圧力シリンダと、第１のシリンダ体と、第２のシリンダ体とを備えており、前記第１の圧力シリンダ、第２のシリンダ体及び第２の圧力シリンダの順で接続されており、前記第１のシリンダ体は第２のシリンダ体内に収容されており、
前記第１のシリンダ体の対向する両端は開口を有し、かつ中空をなして設置されており、該第１のシリンダ体は水をろ過するろ過材料を設置するためのものであり、前記第２のシリンダ体の対向する両端は開口を有し、かつ中空をなして設置されており、前記第１の圧力シリンダは第１の水流端及び第１の吐水端を含み、前記第１の水流端には水を流動させる開口が設けられており、前記第１の吐水端には水を流動させる第１の貫通孔が設けられており、前記第２の圧力シリンダは第２の水流端及び第２の吐水端を含み、かつ中空をなして設置されており、前記第２の水流端には水を流動させる開口が設けられており、前記第２の吐水端には水を流動させる第２の貫通孔が設けられており、
前記第１の水流端は前記第２のシリンダ体の一端に接続されており、前記第２のシリンダ体の他端は前記第２の水流端に接続されており、前記第１のシリンダ体と第２のシリンダ体との間には第１の水流路が形成されており、前記第１の水流路は前記第１の圧力シリンダ及び第２の圧力シリンダに連通しており、前記第２のシリンダ体の外壁には前記第１の水流路に連通する吸水口が設けられており、前記第２のシリンダ体の外壁には、前記第１のシリンダ体に連通する吐水管が更に挿設されており、
該水浄化装置は水をろ過する前に、前記第１の貫通孔が閉じた状態にあり、前記第２の貫通孔が開いた状態にあって、該装置が汚物を排出するとき、前記第１の貫通孔及び第２の貫通孔がいずれも開く、水浄化装置。
【請求項２】
前記第２のシリンダ体と前記第１の圧力シリンダとの間には、前記第１のシリンダ体及び第２のシリンダ体を前記第１の圧力シリンダに連結するための第１の連結手段が更に設けられており、前記第１の連結手段には前記第１の水流路を前記第１の圧力シリンダに連通するための第１の導流孔、及び前記第１のシリンダ体を前記第１の圧力シリンダに連通するための第２の導流孔が設けられている、請求項１に記載の水浄化装置。
【請求項３】
前記第１の連結手段は第１の連結板を含み、前記第１の連結板には貫通孔が設けられており、前記貫通孔の周縁は該第１の連結板の一つの板面とは反対となる方向で第１の円環状柱体が延出しており、前記第１の円環状柱体の前記第１の連結板から離れた一端には該第１の円環状柱体の端口を塞ぐ第１の封止板が設けられており、前記第１の封止板には前記第２の導流孔が設けられており、該第２の導流孔の周縁は該第１の封止板の一つの板面とは反対となる方向で第２の円環状柱体が延出しており、前記第２の円環状柱体の周縁の第１の封止板には前記第１の導流孔が設けられており、前記第１の円環状柱体は前記第１の連結板と前記第２の円環状柱体との間に位置し、前記第１の円環状柱体の口径は前記第２の円環状柱体の口径よりも大きい、請求項２に記載の水浄化装置。
【請求項４】
前記第１の円環状柱体は前記第１の連結板と垂直となっており、前記第２の円環状柱体は前記第１の封止板と垂直となっている、請求項３に記載の水浄化装置。
【請求項５】
前記第２の円環状柱体の第１の封止板から離れた一端には、該第２の円環状柱体の端口を塞ぐ第２の封止板が設けられており、前記第２の封止板には増圧孔が設けられている、請求項３に記載の水浄化装置。
【請求項６】
前記第１の水流端の第１の圧力シリンダの外壁に対応する位置には、前記第１の連結手段に連結するための第１の補強手段が被さるように設けられている、請求項２〜５のいずれか１項に記載の水浄化装置。
【請求項７】
前記第２のシリンダ体と前記第２の圧力シリンダとの間には、前記第２のシリンダ体を前記第２の圧力シリンダに連結するための第２の連結手段が更に設けられており、前記第２の連結手段には前記第１の水流路を連通するための第３の導流孔、及び前記第１のシリンダ体を連通するための第４の導流孔が設けられている、請求項１〜５のいずれか１項に記載の水浄化装置。
【請求項８】
前記第２の水流端の第２の圧力シリンダの外壁に対応する位置には、前記第２の連結手段に連結するための第２の補強手段が被さるように設けられている、請求項７に記載の水浄化装置。
【請求項９】
前記第１のシリンダ体内には二枚の仕切板が設けられており、前記仕切板には複数の貫通孔が設けられており、該仕切板は前記第１のシリンダ体の内部空間を、第１のシリンダ体の半径方向に設けられた第１のろ過領域、一時貯留領域及び第２のろ過領域に仕切っており、前記吐水管が前記第２のシリンダ体の外壁を貫通して前記一時貯留領域に連通している、請求項１〜５のいずれか１項に記載の水浄化装置。
【請求項１０】
前記第１の貫通孔には第１の汚物排出管が挿設されており、前記第２の貫通孔には第２の汚物排出管が挿設されており、前記第１の汚物排出管及び第２の汚物排出管にはいずれも水流調節バルブが設けられている、請求項１〜５のいずれか１項に記載の水浄化装置。
【発明の詳細な説明】
【技術分野】
【０００１】
この発明は、水処理に関するものであって、特に水浄化装置に関するものである。
【背景技術】
【０００２】
我が国は水資源が極めて乏しい国であって、この事実は人々の生活に大きな不便をもたらしている。ここ数年、都市・農村部の汚水に関する問題がますます際立ってきた。多くの都市では、住民生活による汚水は汚染物質排出配管システムに集中されて処理するようになっているが、経済・社会の発展があまりにもアンバランスなもので、一部の都市と広い農村部には汚染物質排出配管システムがなく、住民生活による汚水の排出は無秩序のままである。そのなかで、直接排出・勝手排出が散見される。一部の川はこれで汚染され、水質汚染への寄与率も年増しに増えている。このままいけば、国民大衆の健康を損なうに間違いない。そこで、汚水処理による圧力を減らすため、人々はより多くの力を入れなければならない。
【０００３】
汚水処理として、まずは汚水における粒の大きな物質、例えば活性炭と石英砂の混合物で水中の土砂を除去する。しかし、従来の汚水処理装置は汚水における浮漂物、例えば水中の油脂やほかの浮漂有機物に対するろ過効果が悪い。ろ材にろ過された浮漂物はろ材を塞ぎ、汚染されたろ材は汚染物質を除去するのが難しく、水が二次汚染になる。
【発明の概要】
【０００４】
本発明の目的は、水浄化装置を提供し、水中の浮漂物に対するろ過効果が悪いという水浄化装置における問題を解決することである。
【０００５】
上記の目的を実現するため、本発明は水浄化装置を提供し、前記水浄化装置であって、第１の圧力シリンダと、第２の圧力シリンダと、第１のシリンダ体と、第２のシリンダ体とを備えており、前記第１の圧力シリンダ、第２のシリンダ体及び第２の圧力シリンダの順で接続されており、前記第１のシリンダ体は第２のシリンダ体内に収容されており、
前記第１のシリンダ体の対向する両端は開口を備えており、かつ中空をなして設置されており、該第１のシリンダ体は水をろ過するろ材を積載するためのものであって、前記第２のシリンダ体の対向する両端は開口を備えており、かつ中空をなして設置されており、前記第１の圧力シリンダは第１の水流端及び第１の吐水端を備えており、前記第１の水流端には水を流動させる開口が設けられており、前記第１の吐水端には水を流動させる第１の貫通孔が設けられており、前記第２の圧力シリンダは第２の水流端及び第２の吐水端を備えており、かつ中空をなして設置されており、前記第２の水流端には水を流動させる開口が設けられており、前記第２の吐水端には水を流動させる第２の貫通孔が設けられており、
前記第１の水流端は前記第２のシリンダ体の一端に接続されており、前記第２のシリンダ体の他端は前記第２の水流端に接続されており、前記第１のシリンダ体と第２のシリンダ体との間には第１の水流路が形成されており、前記第１の水流路は前記第１の圧力シリンダ及び第２の圧力シリンダに連通しており、前記第２のシリンダ体の外壁には前記第１の水流路に連通する吸水口が設けられており、前記第２のシリンダ体の外壁には、前記第１のシリンダ体に連通する吐水管が更に挿設されており、
該水浄化装置は水をろ過する前に、前記第１の貫通孔が閉じた状態にあり、前記第２の貫通孔が開いた状態にあって、該装置が汚物を排出するとき、前記第１の貫通孔及び第２の貫通孔がいずれも開く。
【０００６】
好ましくは、前記第２のシリンダ体と前記第１の圧力シリンダとの間には、前記第１のシリンダ体及び第２のシリンダ体を前記第１の圧力シリンダに連結するための第１の連結手段が更に設けられており、前記第１の連結手段には前記第１の水流路を前記第１の圧力シリンダに連通するための第１の導流孔、及び前記第１のシリンダ体を前記第１の圧力シリンダに連通するための第２の導流孔が設けられている。
【０００７】
好ましくは、前記第１の連結手段は第１の連結板を備えており、前記第１の連結板には貫通孔が設けられており、前記貫通孔の周縁は該第１の連結板の一つの板面とは反対となる方向で第１の円環状柱体が延出しており、前記第１の円環状柱体の前記第１の連結板から離れた一端には該第１の円環状柱体の端口を塞ぐ第１の封止板が設けられており、前記第１の封止板には前記第１３の導流孔が設けられており、該第２の導流孔の周縁は該第１の封止板の一つの板面とは反対となる方向で第２の円環状柱体が延出しており、前記第２の円環状柱体の周縁の第１の封止板には前記第１の導流孔が設けられており、前記第１の円環状柱体は前記第１の連結板と前記第２の円環状柱体との間に位置し、前記第１の円環状柱体の口径は前記第２の円環状柱体の口径よりも大きい。
【０００８】
好ましくは、前記第１の円環状柱体は前記第１の連結板と垂直となっており、前記第２の円環状柱体は前記第１の封止板と垂直となっている。
【０００９】
好ましくは、前記第２の円環状柱体の第１の封止板から離れた一端には、該第２の円環状柱体の端口を塞ぐ第２の封止板が設けられており、前記第２の封止板には増圧孔が設けられている。
【００１０】
好ましくは、前記第１の水流端の第１の圧力シリンダの外壁に対応する位置には、前記第１の連結手段に連結するための第１の補強手段が被さるように設けられている。
【００１１】
好ましくは、前記第２のシリンダ体と前記第２の圧力シリンダとの間には、前記第２のシリンダ体を前記第２の圧力シリンダに連結するための第２の連結手段が更に設けられており、前記第２の連結手段には前記第１の水流路と第１のシリンダ体を連通するための第３の導流孔、及び前記第１のシリンダ体に連通するための第４の導流孔が設けられている。
【００１２】
好ましくは、前記第２の水流端の第２の圧力シリンダの外壁に対応する位置には、前記第２の連結手段に連結するための第２の補強手段が被さるように設けられている。
【００１３】
好ましくは、前記第１のシリンダ体内には二枚の仕切板が設けられており、前記仕切板には複数の貫通孔が設けられており、該仕切板は前記第１のシリンダ体の内部空間を、第１のシリンダ体の半径方向に設けられた第１のろ過領域、一時貯留領域及び第２のろ過領域に仕切っており、前記吐水管が前記第２のシリンダ体の外壁を貫通して前記一時貯留領域に連通している。
【００１４】
好ましくは、前記第１の貫通孔には第１の汚物排出管が挿設されており、前記第２の貫通孔には第２の汚物排出管が挿設されており、前記第１の汚物排出管及び第２の汚物排出管にはいずれも水流調節バルブが設けられている。
【００１５】
本発明における水浄化装置は、第１の圧力シリンダと第２の圧力シリンダの圧力作用で浄化待ちの水を充分にろ過する。水中の浮漂物を排出し、水浄化を強化する。浮漂物によるろ材の汚染を緩和し、ろ材耐用年数を大いに伸ばし、水浄化のコストを削減する。
【図面の簡単な説明】
【００１６】
【図１】図１は本発明における水浄化装置の実施例を示す立体構造図である。
【図２】図２は図１に示す水浄化装置における第１の圧力シリンダの構造図である。
【図３】図３は図１に示す水浄化装置における第２の圧力シリンダの構造図である。
【図４】図４は図１に示す水浄化装置における第２の連結手段の構造図である。
【図５】図５は図１に示す水浄化装置における第１の連結手段の構造図である。
【図６】図６は図１に示す水浄化装置の側面平面構造図である。
【図７】図７は図６に示す水浄化装置の異なる角度の平面構造図である。
【図８】図８は図７に示す水浄化装置の実施例のＡ−Ａ線沿いの断面構造図である。
【図９】図９は第１のシリンダ体にろ材が設置されている図７に示す水浄化装置の実施例のＡ−Ａ線沿いの断面構造図である。
【図１０】図１０は図７に示す水浄化装置の異なる実施例のＡ−Ａ線沿いの断面構造図であって、矢印の方向は水浄化における水流の方向を示す。
【００１７】
実施例と添付図面と結び、本発明の目的の実現、機能上の特徴とメリットを更に説明する。
【発明を実施するための形態】
【００１８】
以下における具体的な実施例は、当業者の本発明に対する更なる理解を助力するが、本発明を何ら限定するものではない。
【００１９】
本発明は水浄化装置を提供し、図１が示すように、本発明の第１実施例によって提供される水浄化装置は、第１の圧力シリンダ１０と、第１のシリンダ体１１（図８参照）と、第２のシリンダ体１２と、第２の圧力シリンダ１３とを備えている。第１の圧力シリンダ１０、第２のシリンダ体１２と第２の圧力シリンダ１３の順で接続されており、第１のシリンダ体１１は第２のシリンダ体１２内に収容されている。
【００２０】
図２が示すように、前記第１の圧力シリンダ１０は第１の水流端１０４と、第１の排水端１０２を備えている。本実施例において、該第１の水流端１０４は、排水端１０２と相対して設置され、第１の水流端１０４は水の流れに供する開口を備えている。第１の吐水端１０２には水を流動させる第１の貫通孔１０１が設けられている。
【００２１】
図８が示すように、前記第１のシリンダ体１１は両側に開口を備え、中空の樽形をなして設置されている。
【００２２】
前記第２のシリンダ体１２は両側に開口を備え、中空の樽形をなして設置されている。
【００２３】
図３が示すように、前記第２の圧力シリンダ１３は第２の水流端１３４と、第２の水排出端１３３を備えている。本実施例において、該第２の水流端１３４は、第２の排水端１３３と相対して設置され、第２の水流端１３４は水の流れに供する開口を備えている。第２の吐水端１３３には水を流動させる第２の貫通孔１３１が設けられている。
【００２４】
前記第１の水流端１０４が前記第２のシリンダ体１２の一端と連結し、前記第２のシリンダ体１２の他端は前記第２の水流端１３４と連結する。前記第１のシリンダ体１１は前記第２のシリンダ体１２内に固定的に取り付けられており、前記第１のシリンダ体１１と第２のシリンダ体１２との間には第１の水流路１２３が形成されており、前記第１の水流路１２３は前記第１の圧力シリンダ１０及び第２の圧力シリンダ１３に連通しており、前記第２のシリンダ体１２の外壁には前記第１の水流路１２３に連通する吸水口１２１が設けられており、該水浄化装置の外壁には、前記第１のシリンダ体１１に連通する吐水管１２２が更に挿設されている。好ましくは、吸水口１２１は吐水管１２２と相対して設置される。
【００２５】
水をろ過する前に、前記第１の貫通孔１０１が閉じた状態にあり、前記第２の貫通孔１３１が開いた状態にあって、該装置が汚物を排出するとき、前記第１の貫通孔１０１及び第２の貫通孔１３１がいずれも開く。
【００２６】
具体的には、前記水浄化装置はろ過時に立ったまま置くもので、すなわち前記第１の圧力シリンダ１０が該水浄化装置の底部にあり、第２の圧力シリンダ１３が該水浄化装置の頭部にあって、浄化待ちの水が前記吸水口１２１を通じて第１の水流路１２３に流れる時、ろ過待ちの水はまず第１の圧力シリンダ１０内に流れ込み、水が多くなり、水位が次第に上がるにつれ、浄化待ちの水は水圧と前記第１の圧力シリンダ１０の圧力作用で次第に第１のシリンダ体１１内にあるろ材（例えば、活性炭と石英砂の混合物）に押され、ろ材にろ過された後、浄化待ちの水は前記吐水管１２２から排出される。ろ過する時、まずは第１の貫通孔１０１を閉じて、ろ過待ちの水は第１の水流路１２３での水位が次第に上がり、第２の圧力シリンダ１３まで上がると、第２の貫通孔１３１から排出される。この過程において、浄化待ちの水における一部の土砂とほかの大粒の不純物は重力作用で前記第１の圧力シリンダ１０の底部に堆積する一方、ろ材にろ過された不純物も食い止められて第１の圧力シリンダ１０に残るところで、堆積と堆積していない土砂はすべて第１の貫通孔１０１を通じて排出できる。次に、浄化待ちの水における浮漂物が水の表面にあるゆえ、浄化待ちの水は第１の水流路１２３での水位が次第に第２の圧力シリンダ１３までに上がると、前記浮漂物が第２の貫通孔１３１から排出される。
【００２７】
本発明における水浄化装置は、第１の圧力シリンダ１０と第２の圧力シリンダ１３の圧力作用で、浄化待ちの水における土砂など大粒の不純物が第１の貫通孔１０１から排出され、浄化待ちの水における浮漂物が第２の貫通孔１３１から排出され、浄化待ちの水のろ過は充分なものとなり、水浄化が強化される。該水浄化装置によって、浮漂物によるろ材の汚染も緩和され、ろ材の耐用年数は大いに伸ばし、水浄化のコストが低下する。
【００２８】
更に、図４が示すように、前記第２のシリンダ体１２と前記第１の圧力シリンダ１０との間には、前記第１のシリンダ体１１及び第２のシリンダ体１２を前記第１の圧力シリンダ１０に連結するための第１の連結手段１４が更に設けられており、前記第１の連結手段１４には前記水流路１２３を前記第１の圧力シリンダ１０に連通するための第１の導流孔１４３１、及び前記第１のシリンダ体１１を前記第１の圧力シリンダ１０に連通するための第２の導流孔が設けられている（図には表示されていない）。
【００２９】
具体的に、前記第１の連結手段１４は第１の連結板１４１を備えており、前記第１の連結板１４１には貫通孔が設けられており、前記貫通孔の周縁は該第１の連結板１４１の一つの板面とは反対となる方向で第１の円環状柱体１４２が延出しており、前記第１の円環状柱体１４２の前記第１の連結板１４１から離れた一端には該第１の円環状柱体１４２の端口を塞ぐ第１の封止板１４３が設けられており、前記第１の封止板１４３には前記第２の導流孔が設けられており、該第２の導流孔の周縁は該第１の封止板１４３の一つの板面とは反対となる方向で第２の円環状柱体１４４が延出しており、前記第２の円環状柱体１４４の周縁の第１の封止板１４３には前記第１の導流孔が１４３１更に設けられており、前記第１の円環状柱体１４２は前記第１の連結板１４１と前記第２の円環状柱体１４４との間に位置し、前記第１の円環状柱体１４２の口径は前記第２の円環状柱体１４４の口径よりも大きい。ここで説明すべきは、前記第１の円環状柱体１４２は好ましく前記第１の連結板１４４と垂直となっており、前記第２の円環状柱体１４４は好ましく前記第１の封止板１４３と垂直となっている。
【００３０】
ここで、前記第１の連結板１４１は第１の圧力シリンダ１０の第１の水流端１０４を塞ぎ、かつ第１の圧力シリンダ１０と固定に連結する（例えばネジ山によって連結される）、前記第１のシリンダ体１１には前記第２の円環状柱体１４４が被さるように設けられており、かつ第１のシリンダ体１１は第２の円環状柱体１４４と密封的に連結しており、前記第２のシリンダ体１２には前記第１の円環状柱体１４２が被さるように設けられており、かつ第２のシリンダ体１２は第１の円環状柱体１４２と密封的に連結している。こうして、第１のシリンダ体１１と、第２のシリンダ体１２と、第１の圧力シリンダ１０との連結が強化される。
【００３１】
更に、前記第２の円環状柱体１４４の第１の封止板１４３から離れた一端には、該第２の円環状柱体１４４の端口を塞ぐ第２の封止板１４５が設けられており、前記第２の封止板１４５には増圧孔１４５１が設けられている。
【００３２】
前記ろ材は水に対する抵抗力が元々大きいゆえ、水ろ過の速度を上げるため、本実施例においては、増圧孔１４５１を設けることで水が前記ろ材の中により円滑に押し込まれるようにさせる。ろ過待ちの水が第１の圧力シリンダ１０に入る時（第１の貫通孔１０１は閉じ、または一部が閉じる状態にある）、ろ過待ちの水が次第に第１の圧力シリンダ１０によって押され、第１の水流端１０４を通じてろ材の中に押し込まれ、同じ圧力レベルでは、水がろ材に入る時の開口の面積が小さくなり、つまり水がろ材に入る時の圧力が上昇することで、水をろ材の中により円滑に流れ込ませることができ、水処理の強度と効率を上げる。
【００３３】
更に、図２が示すように、前記第１の水流端１０４の第１の圧力シリンダ１０の外壁に対応する位置には、前記第１の連結手段１４に連結するための第１の補強手段１０３が被さるように設けられている。
【００３４】
具体的に、前記第１の連結手段１４と第１の圧力シリンダ１０との連結を強化するため、本実施例において、前記第１の水流端１０４の第１の圧力シリンダ１０の外壁に対応する位置には、前記第１の連結手段１４に連結するための第１の補強手段１０３が被さるように設けられている。前記第１の補強手段１０３は前記連結手段１４とはネジ山によって連結される。第１の圧力シリンダ１０と第１の連結手段１４とは図２が示すネジ穴１０３１と図４が示すネジ穴１４１１を通じてネジ山によって連結される。
【００３５】
更に、図５が示すように、前記第２のシリンダ体１２と前記第２の圧力シリンダ１３との間には、前記第２のシリンダ体１２を前記第２の圧力シリンダ１３に連結するための第２の連結手段１５が更に設けられており、前記第２の連結手段１５には前記第１の水流路１２３を連通するための第３の導流孔１５３、及び前記第１のシリンダ体１１を連通するための第４の導流孔１５１が設けられている。前記第２の水流端１３４の第２の圧力シリンダ１３の外壁に対応する位置には、前記第２の連結手段１５に連結するための第２の補強手段１３２が被さるように設けられている。
【００３６】
図３が示すように、第２の補強手段１３２にはネジ穴１３５が設けられており、図５が示すように、第２の連結手段１５における第３の導流孔１５３の周縁にはネジ穴１５２が設けられており、前記第２の圧力シリンダ１３と前記第３の連結手段１５とは前記ネジ穴１３５とネジ穴１５２を通じて、同じネジのネジ山によって連結される。
【００３７】
更に、図６、図７、図８および図９が示すように、前記吐水管１２２は前記第２のシリンダ体１２を貫通して第１のシリンダ体に連通する。
【００３８】
具体的に、前記第１のシリンダ体１１にろ材（石英砂と活性炭の混合物・活性炭）２０が設けられている場合、ろ材２０が前記第１シリンダ体の内部の間に第２の水流路２０１が形成されている。ろ材２０が水をろ過する時は該ろ材２０の両端からろ過待ちの水を押し流すもので、ろ過された水は該ろ材２０の外周壁から排出され、かつ前記第２の水流路２０１に流れ込み、そして前記吐水管１２２から排出される。
【００３９】
更に、図１０が示すように、前記第１のシリンダ体１１内には二枚の仕切板１１０が設けられており、前記仕切板１１０には複数の貫通孔が設けられており、該仕切板１１０は前記第１のシリンダ体１１の内部空間を、第１のシリンダ体１１の半径方向に設けられた第１のろ過領域１１１と、一時貯留領域１１３及び第２のろ過領域１１２に仕切っており、前記吐水管１２２が前記第２のシリンダ体１２の外壁を貫通して前記一時貯留領域１１３に連通している。
【００４０】
水における土砂またはほかの大粒の不純物をろ過する時、前記第１シリンダ体内にろ材を設ける必要がある。本実施例において、二枚の仕切板１１０は第１のシリンダ体１１の半径方向に設けられた第１のろ過領域１１１と、一時貯留領域１１３及び第２のろ過領域１１２に仕切るように設けられており、前記第１のろ過領域１１１と第２のろ過領域１１２のいずれにもろ材（石英砂と活性炭の混合物・活性炭）が設けられており、水が第１のろ過領域１１１と第２のろ過領域１１２によってろ過されてから前記一時貯留領域１１３に流れこみ、該一時貯留領域１１３の水は前記吐水管１２２から排出される。浄化待ちの水における土砂など粒子物が多い場合、前記第２のろ過領域１１２におけるろ材が次第に塞がれ、ひいてはろ過機能を失う。こうなると、ろ材を交換する。なお、水における油脂が多い場合、前記第１のろ過領域１１１におけるろ材が次第に汚染され（無論、前記第１のろ過領域１１１におけるろ材は普通の水浄化装置と比べると、その耐用年数は大いに伸ばされている）、こうなった時はろ材を交換し、ろ過された水が二次汚染されるのを防止する。
【００４１】
更に、図２が示すように、前記第１の圧力シリンダ１０の内部空間の第１の水流端１０の端面と平行となる横断面積が前記第１の水流端１０４から前記第１の貫通孔１０２に向かって徐々に小さくなっている。
【００４２】
具体的に、前記第１の圧力シリンダ１０の内部空間は各種の形をなして設けられてもよく、それは例えば方形、筒形などであってもよい。しかし、第１の圧力シリンダ１０によるろ過された不純物の排出を円滑化するため、本実施例において、前記第１の圧力シリンダ１０の内部空間の第１の水流端１０４の端面と平行となる横断面積が前記第１の水流端１０４から前記第１の吐水端１０２に向かって徐々に小さくなっていて、したがって、水における不純物はろ過された後に第１の圧力シリンダ１０の第１の貫通孔１０１を通して排出される。第１の圧力シリンダ１０がこうして設けられていることで、第１の圧力シリンダ１０の底部に死角が生じること無く、不純物が第１の圧力シリンダ１０の底部に堆積することにはならない。
【００４３】
更に、図３が示すように、前記第２の圧力シリンダ１３の内部空間の第２の水流端１３４の端面と平行となる横断面積が前記第２の水流端１３４から前記第２の貫通孔１３３に向かって徐々に小さくなっている。
【００４４】
具体的に、第２の圧力シリンダの頭部に浮漂物を排出するための第２の貫通孔１３１が設けられているとしても、第２の圧力シリンダの内部空間の頭部が並行して設けられるものだとすると、一部の浮漂物が直接排出されずに溜まっていることになって、溜まりすぎると、第２の貫通孔１３１が塞がれかねる。本実施例において、前記第２の圧力シリンダ１３の内部空間の第２の水流端１３４の端面と平行となる横断面積が前記第２の水流端１３４から前記第２の貫通孔１３３に向かって徐々に小さくなっていて、それは例えば、第２の圧力シリンダ１３の内部空間が錐形をなして設けられてもよく、第２の圧力シリンダ１３の平滑な内壁は浮漂物を排出する時に誘導物として機能し、浮漂物が迅速に排出されるようにさせる。
【００４５】
更に、前記第１の貫通孔１０１には第１の汚物排出管が挿設されており、前記第２の貫通孔１３１には第２の汚物排出管が挿設されており、前記第１の汚物排出管に第１のバルブが設けられていて、第２の汚物排出管には第２のバルブが設けられている。
【００４６】
水処理の速度は第１のバルブと第２のバルブを調整することで制御されるもので、該水浄化装置内部の圧力も第１のバルブと第２のバルブを調整することで制御されるものである。例えば、我が国の北部の水には多くの土砂が含まれており、該水浄化装置でこういう水をろ過する場合は、第２のバルブを調整することで第１の圧力シリンダ１０による汚水排出の速度を速めることができる。沿岸部の水は塩度が高く、該水浄化装置でこういう水をろ過する場合は、第１のバルブと第２のバルブを調整することで第１の圧力シリンダ１０と第２のシリンダ１３による排出速度を速め、該水浄化装置内部の圧力全体を強化し、したがって浄化待ちの水のろ過速度を速めることができる。
【００４７】
石英砂と活性炭の混合物による土砂、コロイド体など粒の大きい不純物と油脂のろ過試験：
浄化待ちの水を該水浄化装置の吸水口１２１に流れ込ませたあと、吸水による圧力と第１の圧力シリンダ１０と第２のシリンダ１３の圧力作用で、該水浄化装置では底部と頭部の圧力による調整で、水における土砂、汚泥、汚染物質、粒子、コロイド体は石英砂と活性炭の混合物・活性炭によって分離され、錐体をなしている第１の圧力シリンダ１０の汚物排出口まで堆積して、処理された水は不純物が隔離され、浄水口から流出して浄水となる。測定したところ、本水浄化装置による土砂、コロイド体など粒の大きい不純物の除去率が８０％と高く、油脂の除去率が１００％となる。
【００４８】
上記における実施例は本発明の好ましい実施例であったが、本発明を何ら限定するものではない、本発明の明細書と添付図面を持って作成した同等な効果を持つ構造または同等な効果を持つプロセス、もしくはそれらを直接または間接的にほかの関連技術分野に運用する行為は、いずれも本発明の特許保護に属するものとなる。以下における実施例は、当業者の本発明に対する更なる理解を助力するが、本発明を何ら限定するものではない。
【図１】
2018501087.tif 000003
【図２】
2018501087.tif 000004
【図３】
2018501087.tif 000005
【図４】
2018501087.tif 000006
【図５】
2018501087.tif 000007
【図６】
2018501087.tif 000008
【図７】
2018501087.tif 000009
【図８】
2018501087.tif 000010
【図９】
2018501087.tif 000011
【図１０】
2018501087.tif 000012
【国際調査報告】
2018501087.tif 000013
2018501087.tif 000014
2018501087.tif 000015
2018501087.tif 000016